(57)【特許請求の範囲】
【請求項１】
便器を洗浄する洗浄水を貯える洗浄水タンクの排水弁装置であって、
洗浄水タンクの底面に取り付けられて排水口を形成する排水部と、
膨潤する材料で形成されて上下動することにより上記排水部の排水口を開閉する弁体と、この弁体が膨潤した状態で上記弁体をほぼ水平に保持する弁体保持手段と、を備えた排水弁と、
を有することを特徴とする排水弁装置。
【請求項２】
上記排水部は、上記排水口の周縁部に沿って上方に突出する排水口突起部を備え、上記排水弁の弁体保持手段は、上記弁体の上方を覆うようにほぼ水平方向に延びる上面部と、上記弁体の周縁部側方を覆うように上記上面部の外側端部からほぼ下方に所定長さ延びる側面部と、上記弁体の周縁部下方を覆うように上記側面部の下端部からほぼ水平方向内側に所定長さ突出する下面部と、を備え、上記弁体保持手段は、上記上面部、上記側面部及び上記下面部によって取り囲まれて上記排水部の排水口突起部よりも外側の領域内において上記弁体を上記弁体保持手段の下面部よりも上方に保持する請求項１記載の排水弁装置。
【請求項３】
上記排水弁の弁体保持手段の下面部は、上記排水弁の弁体が上記排水口突起部に着座した際、上記洗浄水タンクの底面よりも所定距離上方に位置している請求項２記載の排水弁装置。
【請求項４】
上記弁体保持手段は、更に、上記上面部と上記側面部とを接続する曲がり面を形成する上側外縁部と、上記側面部と上記下面部とを接続する曲がり面を形成する下側外縁部と、を備えている請求項２又は３に記載の排水弁装置。
【請求項５】
上記排水弁の弁体保持手段の上面部は、上記排水弁の弁体の中心側領域の上面を保持する中心側上面部と、この中心側上面部よりも上方に突出して上記弁体の中心側領域よりも外側に位置する外側領域の上面を保持する外側上面部と、を備え、この外側上面部は、上記排水弁の弁体が上記排水口突起部に着座した際に上記排水部の弁体の外側領域が上方に撓み変形可能となるように、ほぼ水平状態の上記弁体の上面よりも所定距離上方に位置している請求項２乃至４の何れか１項に記載の排水弁装置。
【請求項６】
上記排水弁の弁体保持手段の外側上面部は、上下方向に貫く複数の開口が形成されている請求項５記載の排水弁装置。
【請求項７】
上記排水弁の弁体は、上記洗浄水タンク内から４．８リットル以下の洗浄水が上記排水部の排水口を経て上記便器に供給されるように上記排水部の排水口を開閉する請求項１乃至６の何れか１項に記載の排水弁装置。
【請求項８】
請求項１乃至７の何れか１項に記載の排水弁装置を備えた洗浄水タンク装置。
【請求項９】
請求項８記載の洗浄水タンク装置を備えた水洗大便器。
【発明の詳細な説明】
【技術分野】
【０００１】
本発明は、排水弁装置、洗浄水タンク装置、及び、水洗大便器に係り、特に、便器を洗浄する洗浄水を貯える洗浄水タンクの排水弁装置、この排水弁装置を備えた洗浄水タンク装置、及び、この洗浄水タンク装置を備えた水洗大便器に関する。
【背景技術】
【０００２】
従来から、便器を洗浄する洗浄水を貯える洗浄水タンク装置として、例えば、特許文献１に記載されているように、洗浄水タンク内において上下動可能に支持されたオーバーフロー管の下部の外周にゴム又は軟質合成樹脂からなる弁体が設けられ、この弁体を洗浄水タンク内の底面に形成された排水口に対して上方から着座させ、オーバーフロー管の上下動と共に弁体も上下動して排水口を開閉する排水弁装置を備えたものが知られている。
このような従来の排水弁装置においては、弁体が排水口を閉止した際に排水口の口縁部に密着した状態のシール性を確保するため、適度に撓むゴムや軟質合成樹脂等の膨潤する材料で形成された弁体が採用されている。
【先行技術文献】
【特許文献】
【０００３】
【特許文献１】特開平８−３１１９５４号公報
【発明の概要】
【発明が解決しようとする課題】
【０００４】
しかしながら、上述した従来の排水弁装置においては、膨潤する材料で形成された弁体が、排水口を閉止している状態では、弁体の上面が洗浄水タンク内の洗浄水と接しているが、弁体の下面は排水口内の空気と接しているため、このような弁体の閉止状態が長時間放置されると、洗浄水と接している弁体の上面が洗浄水内に含まれている塩素等の影響により膨潤し、弁体が中心側から外縁部に向って徐々に下方へ垂れ下がるように変形してしまうという問題がある。
【０００５】
また、このような弁体の膨潤による垂れ下がりの変形を放置し続けると、以後の便器洗浄において、弁体による排水口の不完全な閉止状態が繰り返されることになり、予め規定された洗浄水量を便器へ正確に供給することができないという問題がある。
【０００６】
さらに、このような膨潤による垂れ下がった変形状態の弁体が、排水口から排出される直前の洗浄水の水圧によって下方向への力を受けると、弁体が早閉まりしてしまい、便器へ供給される洗浄水量が不足して洗浄不良になるという問題も生じる。
【０００７】
また、近年の便器洗浄に使用される洗浄水の節水化の要請に伴い、便器の洗浄性能を損なわずに、便器洗浄に使用される洗浄水量をいかに少なくするかが課題となっているが、これらの弁体の膨潤による垂れ下がりの変形の問題や弁体の早閉まりによる洗浄不良の問題は、洗浄水の節水化に伴ってより顕著な問題となっている。
【０００８】
そこで、本発明は、上述した従来技術の問題点を解決するためになされたものであり、膨潤する材料で形成された排水弁の弁体をほぼ水平に保持することができ、弁体の早閉まりを防止すると共に弁体のシール性能を向上させることにより、予め規定された洗浄水量を便器へ供給して良好な便器洗浄を実現することができる排水弁装置、この排水弁装置を備えた洗浄水タンク装置、及び、この洗浄水タンク装置を備えた水洗大便器を提供することを目的としている。
【課題を解決するための手段】
【０００９】
上記の目的を達成するために、本発明は、便器を洗浄する洗浄水を貯える洗浄水タンクの排水弁装置であって、洗浄水タンクの底面に取り付けられて排水口を形成する排水部と、膨潤する材料で形成されて上下動することにより上記排水部の排水口を開閉する弁体と、この弁体が膨潤した状態で上記弁体をほぼ水平に保持する弁体保持手段と、を備えた排水弁と、を有することを特徴としている。
このように構成された本発明においては、排水弁の弁体が膨潤し、例えば、弁体の上面の大きさが拡張して弁体の周縁部が下方へ垂れ下がったとしても、排水弁の弁体保持手段により弁体を全体的にほぼ水平に保持することができる。したがって、膨潤して垂れ下った状態の弁体が、洗浄水タンク内の洗浄水が排水部の排水口から排出されている最中に、洗浄水の水圧等の影響を受けて早閉まりすることを防止することができる。これらの結果、予め規定された洗浄水量を便器へ供給することができ、良好な便器洗浄を実現することができる。
【００１０】
本発明において、好ましくは、上記排水部は、上記排水口の周縁部に沿って上方に突出する排水口突起部を備え、上記排水弁の弁体保持手段は、上記弁体の上方を覆うようにほぼ水平方向に延びる上面部と、上記弁体の周縁部側方を覆うように上記上面部の外側端部からほぼ下方に所定長さ延びる側面部と、上記弁体の周縁部下方を覆うように上記側面部の下端部からほぼ水平方向内側に所定長さ突出する下面部と、を備え、上記弁体保持手段は、上記上面部、上記側面部及び上記下面部によって取り囲まれて上記排水部の排水口突起部よりも外側の領域内において上記弁体を上記弁体保持手段の下面部よりも上方に保持する。
このように構成された本発明においては、排水弁の弁体が膨潤し、例えば、弁体の上面の大きさが拡張して弁体の周縁部が下方へ垂れ下がったとしても、排水弁の弁体保持手段の上面部、側面部及び下面部によって取り囲まれて排水部の排水口突起部よりも外側の領域内で弁体が弁体保持手段の下面部よりも上方に保持されるため、弁体の垂れ下がりを安定して防止することができる。また、このように弁体の垂れ下がりを安定して防止することができる分、膨潤する材料で形成された弁体について、厚みを薄くして柔らかくすることも可能となるため、排水弁の弁体が排水部の排水口を閉止した際のシール性能を向上させることができる。これらの結果、予め規定された洗浄水量を便器へ供給することができ、良好な便器洗浄を実現することができる。
【００１１】
本発明において、好ましくは、上記排水弁の弁体保持手段の下面部は、上記排水弁の弁体が上記排水口突起部に着座した際、上記洗浄水タンクの底面よりも所定距離上方に位置している。
このように構成された本発明においては、排水弁の弁体が排水部の排水口突起部に着座して下方に沈み込んだとしても、弁体保持手段の下面部が洗浄水タンクの底面よりも所定距離上方に位置しているため、弁体保持手段の下面部と洗浄水タンクの底面とが接触することを防ぐことができる。したがって、排水弁の弁体が排水部の排水口突起部に着座した直後の状態において弁体の沈み込みの幅を確保することができ、排水弁の弁体が排水部の排水口を閉止した際のシール性能を向上させることができる。これらの結果、予め規定された洗浄水量を確実に便器へ供給することができ、良好な便器洗浄を実現することができる。
【００１２】
本発明において、好ましくは、上記弁体保持手段は、更に、上記上面部と上記側面部とを接続する曲がり面を形成する上側外縁部と、上記側面部と上記下面部とを接続する曲がり面を形成する下側外縁部と、を備えている。
このように構成された本発明においては、弁体保持手段の上側外縁部及び下側外縁部の双方が滑らかな曲がり面を形成しているため、排水弁を引き上げる際に洗浄水タンク内の洗浄水が排水弁の弁体保持手段の上側外縁部に作用する洗浄水の抵抗力を低減させることができると共に、洗浄水が排水弁の弁体保持手段を通過して排水口へと流れる際に、排水弁の弁体保持手段の下側外縁部に作用する洗浄水の抵抗力を低減させることができる。これらの結果、排水弁の操作性を確保することができるため、予め規定された洗浄水量を確実に便器へ供給することができ、良好な便器洗浄を実現することができる。
【００１３】
本発明において、好ましくは、上記排水弁の弁体保持手段の上面部は、上記排水弁の弁体の中心側領域の上面を保持する中心側上面部と、この中心側上面部よりも上方に突出して上記弁体の中心側領域よりも外側に位置する外側領域の上面を保持する外側上面部と、を備え、この外側上面部は、上記排水弁の弁体が上記排水口突起部に着座した際に上記排水部の弁体の外側領域が上方に撓み変形可能となるように、ほぼ水平状態の上記弁体の上面よりも所定距離上方に位置している。
このように構成された本発明においては、弁体の外側領域の上面を保持する排水弁の弁体保持手段の外側上面部がほぼ水平状態の弁体の上面よりも所定距離上方に位置しているため、製造誤差等により、弁体が排水部の排水口突起部に対して傾いた状態で着座したとしても、弁体の外側領域がより大きな撓み量で上方に変形することを許容することができ、排水弁の弁体が排水部の排水口を閉止した際のシール性能を確保することができる。これらの結果、予め規定された洗浄水量を確実に便器へ供給することができ、良好な便器洗浄を実現することができる。
【００１４】
本発明において、好ましくは、上記排水弁の弁体保持手段の外側上面部は、上下方向に貫く複数の開口が形成されている。
このように構成された本発明においては、排水弁の弁体が排水部の排水口突起部に着座した際に、洗浄水タンク内に貯水された洗浄水が、排水弁の弁体保持手段の外側上面部の複数の開口から排水弁の弁体保持手段の内部に流入し、この流入した洗浄水の水圧により、弁体を排水口突起部に押し付けて密着させることができるため、排水弁の弁体が排水部の排水口を閉止した際のシール性能を確保することができる。これらの結果、予め規定された洗浄水量を確実に便器へ供給することができ、良好な便器洗浄を実現することができる。
【００１５】
本発明において、好ましくは、上記排水弁の弁体は、上記洗浄水タンク内から４．８リットル以下の洗浄水が上記排水部の排水口を経て上記便器に供給されるように上記排水部の排水口を開閉する。
このように構成された本発明においては、排水弁の弁体が排水部の排水口を開閉することにより、洗浄水タンク内から排水部の排水口を経て便器に供給される洗浄水量を４．８リットル以下に抑制することができるため、洗浄水の節水化を実現することができる。
【００１６】
また、本発明は、上記排水弁装置を備えた洗浄水タンク装置である。
このように構成された本発明においては、予め規定された洗浄水量を確実に便器へ供給することができ、良好な便器洗浄を実現することができる洗浄水タンク装置を提供することができる。
【００１７】
さらに、本発明は、上記洗浄水タンク装置を備えた水洗大便器である。
このように構成された本発明においては、予め規定された洗浄水量を確実に便器へ供給することができ、良好な便器洗浄を実現することができる水洗大便器を提供することができる。
【発明の効果】
【００１８】
本発明の排水弁装置、この排水弁装置を備えた洗浄水タンク装置、及び、この洗浄水タンク装置を備えた水洗大便器によれば、膨潤する材料で形成された排水弁の弁体をほぼ水平に保持することができ、弁体の早閉まりを防止すると共に弁体のシール性能を向上させることにより、予め規定された洗浄水量を便器へ供給して良好な便器洗浄を実現することができる。
【図面の簡単な説明】
【００１９】
【図１】本発明の第１実施形態による洗浄水タンク装置が適用された水洗便器の断面図である。
【図２】本発明の第１実施形態による洗浄水タンク装置について蓋体を取り外した状態で貯水タンク内の構造を前方斜め上方から見た斜視図である。
【図３】本発明の第１実施形態による洗浄水タンク装置の貯水タンク内の構造を示す平面図である。
【図４】図３のＩＶ−ＩＶ線に沿って見た断面図である。
【図５】本発明の第１実施形態による洗浄水タンク装置の排水弁装置の分解斜視図である。
【図６】本発明の第１実施形態による洗浄水タンク装置の排水弁装置を示す側面断面図である。
【図７】本発明の第１実施形態による洗浄水タンク装置の排水弁装置の閉止時の弁体を示す拡大側面断面図である。
【図８】本発明の第１実施形態による洗浄水タンク装置の排水弁装置の弁体保持部材を示す平面図である。
【図９】本発明の第１実施形態による洗浄水タンク装置の排水弁装置の弁体保持部材を示す底面図である。
【図１０】図８のＸ−Ｘ線に沿って見た断面図である。
【図１１】本発明の第２実施形態による洗浄水タンク装置の排水弁装置の弁体保持部材を示す平面図である。
【図１２】本発明の第２実施形態による洗浄水タンク装置の排水弁装置の弁体保持部材を示す正面断面図である。
【図１３】本発明の第３実施形態による洗浄水タンク装置の排水弁装置の弁体保持部材を示す平面図である。
【図１４】本発明の第３実施形態による洗浄水タンク装置の排水弁装置の弁体保持部材を示す正面断面図である。
【図１５】本発明の第４実施形態による洗浄水タンク装置の排水弁装置の弁体保持部材を示す平面図である。
【図１６】本発明の第４実施形態による洗浄水タンク装置の排水弁装置の弁体保持部材を示す正面断面図である。
【図１７】本発明の第５実施形態による洗浄水タンク装置の排水弁装置の弁体保持部材を示す平面図である。
【図１８】本発明の第５実施形態による洗浄水タンク装置の排水弁装置の弁体保持部材を示す正面断面図である。
【発明を実施するための形態】
【００２０】
つぎに、添付図面により、本発明の第１実施形態による排水弁装置、この排水弁装置を備えた洗浄水タンク装置、この洗浄水タンク装置を備えた水洗大便器を説明する。
まず、図１により、本発明の第１実施形態による洗浄水タンク装置が適用された水洗便器（水洗大便器）を説明する。
図１は、本発明の第１実施形態による洗浄水タンク装置が適用された水洗便器の断面図である。
【００２１】
図１に示すように、符号１は洗落し式の水洗便器を示し、この便器１は、便器本体２を備え、この便器本体２には、ボウル部４と、導水路６と、ボウル部４の下部と連通するトラップ管路８がそれぞれ形成されている。
便器本体２のボウル部４の上縁部には、内側にオーバーハングしたリム１０と、導水路６から供給される洗浄水を吐水する第１吐水口１２が形成され、この第１吐水口１２から吐水された洗浄水は、旋回しながら下降してボウル部を洗浄するようになっている。
【００２２】
ボウル部４の下方には、一点鎖線で貯留面Ｗ0が示された溜水部１４が形成されている。この溜水部１４の下方には、排水トラップ管路８の入口８ａが開口し、この入口８ａから上昇路８ｂが後方に延びている。この上昇路８ｂには下降路８ｃが連続し、下降路８ｃの下端は排水ソケット（図示せず）を介して床下の排出管（図示せず）に接続されている。また、ボウル部４の貯留面Ｗ0の上方位置には、導水路６から供給される洗浄水を吐水する第２吐水口１６が形成され、この第２吐水口１６から吐水される洗浄水が溜水部１４の溜水を上下方向に旋回させる旋回流を生じさせるようになっている。
【００２３】
便器本体２の導水路６の上方には、便器本体２に供給する洗浄水を貯水する洗浄水タンク装置１８（詳細は後述する）が設けられている。
洗浄水タンク装置１８は、陶器製の外装タンク２０と、この外装タンク２０内に一体となって配置され、水洗便器１を洗浄する洗浄水が貯水される貯水タンク２２と、外装タンク２０に載せられる蓋体２４を備えている。
貯水タンク２２の底部には、便器本体２の導水路６と連通する排水口２２ａが形成され、貯水タンク２２内の洗浄水が導水路６へと排水されるようになっている。また、貯水タンク２２は、便器の種類に応じて、貯水する洗浄水の量が異なっている。
なお、本実施形態による洗浄水タンク装置１８においては、上述した洗落し式以外の他のタイプの水洗便器（例えば、サイホン式水洗便器など）にも適用可能である。
【００２４】
つぎに、図２〜図４により、洗浄水タンク装置１８の詳細について説明する。
図２は、本発明の第１実施形態による洗浄水タンク装置について蓋体を取り外した状態で貯水タンク内の構造を前方斜め上方から見た斜視図であり、図３は、本発明の第１実施形態による洗浄水タンク装置の貯水タンク内の構造を示す平面図であり、図４は、図３のＩＶ−ＩＶ線に沿って見た断面図である。なお、図４においては、貯水タンク２２の満水時の止水水位をＷＬ０で示している。
【００２５】
図２〜図４に示すように、洗浄水タンク装置１８の貯水タンク２２内には、この貯水タンク２２内に洗浄水を供給する給水装置２６と、貯水タンク２２に貯えられた洗浄水について排水口２２ａを開放して便器本体２の導水路６に流出させる排水弁装置２８とが設けられている。
【００２６】
給水装置２６は、外部の給水源に接続され貯水タンク２２の底部から上方に延びる給水管３０と、この給水管３０の上端部に取り付けられ、給水管３０から給水される洗浄水の貯水タンク２２内への吐水と止水を切り替える給水バルブ３２と、貯水タンク２２内の水位の変動に応じて上下動して給水バルブ３２による吐水と止水を切り替えるフロート３４とを備えている。
【００２７】
給水管３０の外周側下端部には、吐水口３６が開口し、給水バルブ３２からの洗浄水がこの吐水口３６から貯水タンク２２内に吐水されるようになっている。
給水装置２６は、更に、給水バルブ３２に接続されたリフィール管３８を備え、このリフィール管３８の下流端は、後述する排水弁装置２８のオーバーフロー管４０の上端開口の上方に位置している。
【００２８】
給水装置２６においては、後述する排水弁装置２８により、貯水タンク２２内の洗浄水が便器に排水されると、洗浄水の水位が低下してフロート３４が下降し、それにより給水バルブ３２が開き、吐水口３６から吐水が開始される、貯水タンク２２内への吐水が開始される。次に、吐水が継続されて水位が上昇すると、フロート３４も上昇し、それにより給水バルブ３２が閉じ、吐水口３６が止水される。これにより、貯水タンク２２内の洗浄水の水位を所定の満水時の水位に維持するようになっている。
【００２９】
つぎに、図２〜図１０を参照して、排水弁装置２８について詳細に説明する。
図５は本発明の第１実施形態による洗浄水タンク装置の排水弁装置の分解斜視図である。
また、図６は、本発明の第１実施形態による洗浄水タンク装置の排水弁装置を示す側面断面図であり、上昇時の状態の排水弁ユニットを鎖線で示し、下降途中の状態の排水弁ユニットを実線で示している。
さらに、図７は、本発明の第１実施形態による洗浄水タンク装置の排水弁装置の閉止時の弁体を示す拡大側面断面図である。
【００３０】
図２〜図４に示すように、排水弁装置２８は、貯水タンク２２の外部に取り付けられた操作レバー４２と、一端が操作レバー４２に取り付けられ、他端が貯水タンク２２内まで延びて操作レバー４２の操作により回転する回転軸４４を備えている。
ここで、本実施形態では、一例として、操作レバー４２及び回転軸４４については、使用者が操作レバー４２を直接回転操作して回転軸４４を回転させるような手動式の操作形態について説明するが、このような形態に限定されず、操作レバー４２及び回転軸４４を回転させるためのモータ等の駆動手段を設け、外部に設定された操作ボタン（図示せず）又は人感センサー（図示せず）からの指令信号によって駆動手段の作動を自動的に制御するような操作形態にしてもよい。
【００３１】
また、回転軸４４の他端には、回転軸４４の回転と共に回転軸４４の中心軸線４４ａを中心に回転する玉鎖引き上げ部材４６が回転軸４４と一体的に取り付けられている。
この玉鎖引き上げ部材４６においては、回転軸４４の中心軸線４４ａに対して一方の側には、回転軸４４の回転により上下動するようになっている第１玉鎖４８が取り付けられる第１玉鎖取付部４６ａが設けられ、回転軸４４の中心軸線４４ａに対して他方の側には、回転軸４４の回転により上下動するようになっている第２玉鎖５０が取り付けられる第２玉鎖取付部４６ｂが設けられている。
【００３２】
また、第１玉鎖４８及び第２玉鎖５０のそれぞれの下端は、後述する排水弁ユニット５８のフロート部材５２の第１玉鎖取付部５２ａ及び第２玉鎖取付部５２ｂのそれぞれに取り付けられている。
さらに、玉鎖引き上げ部材４６において、第２玉鎖取付部４６ｂから操作レバー４２側に隣接した所定位置に、回転軸４４の回転により上下動するようになっている第３玉鎖５４が取り付けられる第３玉鎖取付部４６ｃが設けられており、第３玉鎖５４の下端は、後述する切替弁５６の第３玉鎖取付部５６ａに取り付けられている。
【００３３】
また、操作レバー４２を一方に回動させると、玉鎖引き上げ部材４６が回転軸４４と共に所定方向に回動し、第２玉鎖５０及び第３玉鎖５４が弛んだ状態で第１玉鎖４８のみが玉鎖引き上げ部材４６によって引き上げられ、切替弁５６が開弁した状態のままフロート部材５２と共に後述する弁体８４が上昇し、後述する便器の大洗浄モードによる排水が開始されるようになっている。
一方、操作レバー４２を他方に回動させると、第１玉鎖４８が弛んだ状態で第２玉鎖５０及び第３玉鎖５４が玉鎖引き上げ部材４６によって引き上げられ、フロート部材５２及び弁体８４が上昇すると共に切替弁５６が閉弁し、後述する便器の小洗浄モードによる排水が開始されるようになっている。
【００３４】
排水弁装置２８は、図５に示すように、貯水タンク２２の底面に取り付けられ且つ便器本体２の導水路６に連通する排水口２２ａを形成する排水口ユニット６０と、この排水口ユニット６０の上端に取り付けられた排水弁ユニット５８と、排水口ユニット６０に上方から着脱可能に取り付けられた外側制御筒部材６２を備えている。
【００３５】
図５に示すように、排水弁装置２８の排水口ユニット６０は、貯水タンク２２の底面２２ｂの所定位置に取り付けられて排水口６４ａを形成する排水口形成部材６４を備えている。
この排水口形成部材６４の下端部は、貯水タンク２２の底面２２ｂを貫き、シール部材６６を介して締結部材６８によって締結され、排水口形成部材６４が貯水タンク２２の底面２２ｂに固定されている。
【００３６】
また、図５〜図７に示すように、排水口形成部材６４は、排水口６４ａの上側周縁部に沿って上方に突出するように形成される排水口突起部６４ｂと、この排水口突起部６４ｂから半径方向外側に向って形成されて貯水タンク２２の底面２２ｂに取り付けられるベース部７０を備えている。このベース部７０の外周の所定の対角位置には、外側制御筒部材６２が上方から着脱可能に取り付けられる取付用の保持突起７２が形成されている。
さらに、排水口形成部材６４の上端開口部７４の外周の所定の対角位置には、後述する排水弁ユニット６０の内側制御筒部材７６が上方から着脱可能に取り付けられる取付用の保持突起７８が形成されている。
【００３７】
また、排水口形成部材６４は、ベース部７０と上端開口部７４との間に円周方向に沿って所定間隔を置いて上下方向に延びる複数のリブ８０を備え、これらのリブ８０により、内側制御筒部材７６の外側の洗浄水を排水口６４ａへ流入させるための複数の連通口８２が形成されている。
【００３８】
つぎに、図５〜図７に示すように、排水弁装置２８の排水弁ユニット５８は、弁体８４と、オーバーフロー管４０と、弁体８４をオーバーフロー管４０に保持する弁体保持部材８５（詳細は後述する）と、内側制御筒部材７６と、フロート部材５２と、オーバーフロー管取付部材８６と、リフィール管取付部材８８を備えている。
【００３９】
弁体８４は、図５に示すように、ゴムや軟質合成樹脂等の膨潤する材料で形成された円板状のシール部材である。
なお、弁体８４に用いられる膨潤する材料としては、例えば、ニトリルゴム（NBR）、エチレンプロピレンゴム（EPM、EPDM）、シリコーンゴム（Q）、フッ素ゴム（FKM）、スチレン・ブタジエンゴム（SBR）、アクリルゴム（ACM）、クロロスルホン化ポリエチレン（CSM）、エピクロルヒドリンゴム（CO、ECO）、クロロプレンゴム（CR）、ブタジエンゴム（BR）等が採用される。
また、弁体８４は、図５〜図７に示すように、弁体８４のほぼ中央部分に形成された取付穴８４ａにオーバーフロー管４０の円筒部４０ｂが挿入されて取り付けられた状態で、オーバーフロー管４０の下端部の弁体保持部４０ａと弁体保持部材８５により、オーバーフロー管４０に対して上下方向に固定され、オーバーフロー管４０と共に上下動して、排水口６４ａを開閉する排水弁として機能するようになっている。
【００４０】
内側制御筒部材７６は、この弁体８４の上下動を制御するものとして機能するようになっており、洗浄水を貯水すると共に、この貯水された洗浄水を所定の流量で流出させる開口７６ａが側面に形成されたほぼ円筒状の貯水部７６ｂと、この貯水部７６ｂの底部の中央から上方に延びたほぼ円筒状のガイド部７６ｃと、貯水部７６ｂの下端部に形成されて排水口ユニット６０の排水口形成部材６４の保持突起７８に係合される１つ又は複数の係合溝７６ｄを備えている。この係合溝７６ｄは、ほぼＬ字形の鍵穴状の溝を形成し、保持突起７８を下方から挿入可能した後、係合溝７６ｄを水平方向に移動させることにより保持突起７８に係止可能となっている。
【００４１】
また、内側制御筒部材７６の貯水部７６ｂの開口７６ａには、流量調節部材９２が取り付けられ、この流量調節部材９２の取り付け位置を上下方向に変更することにより開口７６ａの開口断面積を調節することができるようになっている。
【００４２】
つぎに、フロート部材５２は、薄肉でほぼ円環状に形成して内側制御筒部材７６の貯水部７６ｂの内周側且つガイド部７６ｃの外周側に収容されるフロート部５２ｃと、このフロート部５２ｃの下端に取り付かれた底部５２ｄを備え、フロート部５２ｃの内側と底部５２ｄによって内部空間が形成されている。これらのフロート部５２ｃ及び底部５２ｄは、内側制御筒部材７６の貯水部７６ｂ内に洗浄水が貯水されている状態では、浮力作用により内側制御筒部材７６の貯水部７６ｂ内に浮かんだ状態で収容されており、内側制御筒部材７６の貯水部７６ｂ内の洗浄水の水位の低下に伴って、内側制御筒部材７６のガイド部７６ｃにガイドされて下降するようになっている。
また、フロート部材５２は、フロート部５２ｃの上端に固定されて所定距離上方に延びた後、半径方向内側にアーチ状に延びてオーバーフロー管４０の円筒部４０ｂの上端が取り付けられるオーバーフロー管取付部５２ｅを備えている。
【００４３】
オーバーフロー管４０の上下方向に円筒状に延びる円筒部４０ｂは、内側制御筒部材７６のガイド部７６ｃの内周側に挿入され、上下方向に摺動可能にガイドされている。
また、オーバーフロー管４０の円筒部４０ｂの上端は、フロート部材５２のオーバーフロー管取付部５２ｅに取り付けられて、オーバーフロー管取付部材８６によって固定される。
このオーバーフロー管取付部材８６は、実質的には、洗浄水タンク２２内の所定水位（満水水位）を超えた洗浄水が流入するオーバーフロー管４０の上端の流入口８６ａを形成している。
また、オーバーフロー管４０の上端の流入口８６ａは、オーバーフロー管４０の管径に対して滑らかに上方且つ外側に広がるラッパ形状となっており、洗浄水タンク２２内の所定水位（満水水位）を超えた洗浄水がオーバーフロー管４０によって洗浄水タンク２２の外部へより確実に排出されるようになっている。
【００４４】
さらに、リフィール管取付部材８８が、上述したリフィール管３８の下流端が接続されるノズル部８８ａを備え、このノズル部８８ａの下端部の開口は、オーバーフロー管４０の流入口８６ａの上方に位置している。
【００４５】
つぎに、図５に示すように、外側制御筒部材６２は、横断面形状がほぼ矩形状に形成されて上方が開放された筒体本体９０を備えている。この筒体本体９０の下端部は、排水口ユニット６０の排水口形成部材６４を上下方向から挿入可能な開口を形成し、筒体本体９０の下端部の周縁には、筒体本体９０をその中心軸線（排水弁ユニット５８の中心軸線５８ａに相当）を中心に回転させることにより、排水口ユニット６０の排水口形成部材６４の保持突起７２に着脱可能な１つ又は複数の係合溝９０ａが設けられている。
この係合溝９０ａは、ほぼＬ字形の鍵穴状の溝を形成し、保持突起７２を下方から挿入可能した後、係合溝９０ａを水平方向に移動させることにより保持突起７２に係止可能となっている。
【００４６】
また、筒体本体９０の係合溝９０ａが排水口ユニット６０の排水口形成部材６４の保持突起７２に係合された状態では、操作レバー４２に近位する側の筒体本体９０の側壁９０ｂ（以下「近位側側壁９０ｂ」）が、排水口ユニット６０及び内側制御筒部材７６の一部を取り囲むように洗浄水タンク２２の底面から上方に延びており、この筒体本体９０の近位側側壁９０ｂには、この近位側側壁９０ｂを貫く洗浄モード切替用の開口部９０ｃが形成されている。
【００４７】
さらに、筒体本体９０の近位側側壁９０ｂには、開口部９０ｃを開閉可能とする切替弁５６が取り付けられており、この切替弁５６には、錘５６ｂが着脱可能に取り付けられている。そして、切替弁５６が開口部９０ｃを開放した状態では、大洗浄モードによる排水が行われ、切替弁５６が開口部９０ｃを閉鎖した状態では、小洗浄モードによる排水が行われるようになっている。
【００４８】
また、筒体本体９０の近位側側壁９０ｂにおける開口部９０ｃの上方には、流量調節用の近位側開口部９０ｄが形成され、これらの近位側開口部９０ｄには、詳細は後述する近位側流量調節部材９４（図４参照）が取り付けられている。
同様に、筒体本体９０の近位側側壁９０ｂと対向する側壁９０ｂ’（以下「遠位側側壁９０ｄ’」）にも、流量調節用の遠位側開口部９０ｄ’が形成され、これらの遠位側開口部９０ｄ’には、遠位側流量調節部材９６が取り付けられている。
これらの近位側流量調節部材９４及び遠位側流量調節部材９６のそれぞれの取り付け位置を上下方向に変更し、それぞれに対応する開口部９０ｄ，９０ｄ’の開口断面積を調節することにより、小洗浄モードにおいて貯水タンク２２内の洗浄水が筒体本体９０の開口部９０ｄ，９０ｄ’から筒体本体９０の内部へ流入する洗浄水の流量を調節することができ、洗浄水タンク２２の外部（水洗便器１）へ流出される洗浄水量を調節することができるようになっている。
【００４９】
なお、排水弁装置２８の排水弁ユニット５８の弁体８４が排水口６４ａを開閉することにより、貯水タンク２２内から水洗便器１に供給される洗浄水量は、４．８リットル以下に設定されるのが好ましい。
【００５０】
つぎに、図５〜図１０を参照して、排水弁装置２８の排水弁ユニット５８の弁体保持部材８５の詳細について説明する。
図８は本発明の第１実施形態による洗浄水タンク装置の排水弁装置の弁体保持部材を示す平面図であり、図９は本発明の第１実施形態による洗浄水タンク装置の排水弁装置の弁体保持部材を示す底面図であり、図１０は図８のＸ−Ｘ線に沿って見た断面図である。
【００５１】
図５〜図１０に示すように、排水弁ユニット５８の弁体保持部材８５は、弁体８４の上方を覆うようにほぼ水平方向に延びる上面部９８と、弁体８４の周縁部側方を覆うように上面部９８の外側端部からほぼ下方に所定長さ延びる側面部１００と、弁体８４の周縁部下方を覆うように側面部１００の下端部からほぼ水平方向内側に所定長さ突出する下面部１０２を備えている。
また、弁体保持部材８５は、これら上面部９８、側面部１００及び下面部１０２によって取り囲まれて排水口ユニット６０の排水口突起部６４ｂよりも外側の領域Ａ（図７参照）内において弁体８４を弁体保持部材８５の下面部１０２よりも上方に保持するようになっている。
【００５２】
さらに、図７に示すように、弁体８４が排水口突起部６４ｂに着座して排水口６４ａを閉止した際、弁体保持部材８５の下面部１０２は、貯水タンク２２の底面２２ａよりも上方に位置する排水口形成部材６４のベース部７０の上面７０ａよりも所定距離ｈだけ上方に位置している。
すなわち、弁体８４が排水口６４ａを閉止している状態では、弁体保持部材８５の下面部１０２が排水口形成部材６４のベース部７０の上面７０ａに接触することなく、弁体保持部材８５の下面部１０２と排水口形成部材６４のベース部７０の上面７０ａとの間に所定間隔ｈが形成されている。
【００５３】
さらに、図６〜図１０に示すように、弁体保持部材８５は、上面部９８と側面部１００とを接続して滑らかな曲がり面を形成する上側外縁部１０４と、側面部１００と下面部１０２とを接続して滑らかな曲がり面を形成する下側外縁部１０６を備えている。
【００５４】
また、図５〜図１０に示すように、弁体保持部材８５の上面部９８は、弁体８４の上面８４ｂの取付穴８４ａから半径方向外側に向って所定距離だけ形成される弁体８４の中心側領域Ｂの上面８４ｂを保持する中心側上面部９８ａを備えている。
また、弁体保持部材８５の上面部９８は、中心側上面部９８ａよりも上方に突出し、弁体８４の中心側領域Ｂよりも半径方向外側に位置する外側領域Ｃの上面８４ｂを保持する外側上面部９８ｂを備えている。この外側上面部９８ｂは、弁体８４の下面８４ｃが排水口突起部６４ｂに着座した際に弁体８４の外側領域Ｃが上方に撓み変形可能となるように、ほぼ水平状態の弁体８４の上面８４ｃよりも所定距離ｄだけ上方に位置している。
なお、ほぼ水平状態の弁体８４の上面８４ｃと弁体保持部材８５の外側上面部９８ｂとの所定距離ｄについては、例えば、弁体８４の上下方向の厚みを１ｍｍ〜２ｍｍに設定した場合、１ｍｍ〜５ｍｍに設定されることが好ましく、１ｍｍに設定されることが最も好ましい。
【００５５】
弁体保持部材８５は、ほぼ中央部分にオーバーフロー管４０の円筒部４０ｂが挿入可能な挿入穴８５ａを形成し、このオーバーフロー管４０の円筒部４０ｂの外周面に設けられた取付用凹部４０ｃに嵌め込むことにより取り付けられる取付部８５ｂを備えている。
弁体保持部材８５の中心側上面部９８ａとオーバーフロー管４０の弁体保持部４０ａによって弁体８４の中心側領域Ｂを上下方向から挟持した状態で弁体保持部材８５の取付部８５ｂをオーバーフロー管４０の円筒部４０ｂの取付用凹部４０ｃに取り付けられることにより、弁体８４がオーバーフロー管４０に対して上下方向に固定されるようになっている。
【００５６】
また、弁体８４がオーバーフロー管４０に対して上下方向に固定された状態では、弁体保持部材８５の下面部１０２の内側端部１０２ａが、この内側端部１０２ａよりも内側の領域に１つの開口１０２ｂを形成している。この弁体保持部材８５の下面部１０２の内側端部１０２ａは、常に弁体８４の外周部８４ｄよりも内側に位置するため、特に、弁体８４の外側領域Ｃが弁体保持部材８５の下面部１０２よりも垂れ下がらないようになっている。
なお、図９及び図１０に示されているように、弁体保持部材８５の側面部１００の外面と面一となる面に対する下面部１０２の内側端部１０２ａからの垂直長さに相当する弁体保持部材８５の下面部１０２の幅ｗは、１ｍｍ〜１０ｍｍに設定されることが好ましく、２ｍｍに設定されることが最も好ましい。
【００５７】
さらに、弁体保持部材８５の外側上面部９８ｂには、上下方向に貫く複数（８つ）の開口９８ｃが円周方向に沿って等間隔に形成されている。
なお、開口９８ｃについては、２以上の複数であればよく、開口９８ｃ同士の互いの間隔についても、等間隔に設けられていなくてもよい。
【００５８】
つぎに、図２〜図１０を参照して、本発明の第１実施形態による排水弁装置及びそれを備えた洗浄水タンク装置の動作（作用）を説明する。
以下、本発明の第１実施形態による洗浄水タンク装置により実行される２種類の洗浄モードのうちの代表的な大洗浄モードについて説明し、小洗浄モードについては説明を省略する。
図２及び図４に示すように、大洗浄モードにおける排水が開始される前の状態の排水弁装置２８においては、第１玉鎖４８及び第２玉鎖５０の双方が上下方向にほぼ直線状に伸ばされた状態となっている。このとき、切替弁５６については、錘５６ｂを加えた切替弁５６自体の自重により、第３玉鎖５４が弛んだ状態となり、外側制御筒部材６２の筒体本体９０の洗浄モード切替用の開口部９０ｃを開放した状態となっている。
また、貯水タンク２２内の水位は、満水時の止水水位ＷＬ０となり、内側制御筒部材７６の上端よりも上方且つオーバーフロー管４０の流入口８６ａよりも下方に位置しており、外側制御筒部材６２の筒体本体９０の内部及び内側制御筒部材７６の貯水部７６ｂの内部は、洗浄水で満たされている。
【００５９】
つぎに、図２〜図４に示すように、大洗浄モードにおける排水が開始された直後の状態の排水弁装置２８においては、使用者が操作レバー４２（図２〜図４参照）を手前側（正面側）に所定角度（例えば、９０度）回転させると、第１玉鎖４８のみが玉鎖引き上げ部材４６の第１玉鎖取付部４６ａによって引き上げられることにより、フロート部材５２が上昇し、このフロート部材５２の上昇と共に、オーバーフロー管４０及び弁体８４が一体的に上昇する。
また、弁体８４は、内側制御筒部材７６の底部に当接し、外側制御筒部材６２の筒体本体９０の開口部９０ｃの上端以上の高さ位置となる最高高さ位置に位置し、引き上げが完了した状態となっており、切替弁５６が筒体本体９０の開口部９０ｃを開放したままの状態で、排水口６４ａが開放され、排水が開始される。
【００６０】
さらに、貯水タンク２２内の外側制御筒部材６２の筒体本体９０の外側の領域の洗浄水は、切替弁５６、近位側流量調節部材９４、及び遠位側流量調節部材９６のそれぞれによって開放された筒体本体９０開口部９０ｃ，９０ｄ，９０ｄ’と筒体本体９０の上方から筒体本体９０内に流入し、内側制御筒部材７６の貯水部７６ｂ内の洗浄水は、開口７６ａから筒体本体９０内に流入する。そして、筒体本体９０内の洗浄水は、排水口ユニット６０の連通口８２を通過し、排水口６４ａから便器本体２の導水路６に排出され、貯水タンク２２内の水位は、満水時の止水水位ＷＬ０よりも低下する。
【００６１】
つぎに、図６に示すように、大洗浄モードにおける排水途中の状態の排水弁装置２８においては、フロート部材５２が、内側制御筒部材７６の貯水部７６ｂ内の洗浄水よって与えられる浮力によって浮いた状態となっている。
そして、貯水タンク２２内と筒体本体９０内が開口部９０ｃで連通しているため、貯水タンク２２内の水位と筒体本体９０内の水位が同一の水位ＷＬ１となり、この水位ＷＬ１が時間と共に内側制御筒部材７６の貯水部７６ｂの開口７６ａの上端よりも低下した状態では、内側制御筒部材７６の貯水部７６ｂの開口７６ａから流出する貯水部７６ｂ内の洗浄水の流量に応じた所定の速度で内側制御筒部材７６の貯水部７６ｂ内の水位ＷＬ１’が低下する。
【００６２】
また、内側制御筒部材７６の貯水部７６ｂ内の水位ＷＬ１’の低下に伴ってフロート部材５２も下降し、このフロート部材５２の下降に連動してオーバーフロー管４０及び弁体８４も、フロート部材５２の下降速度と同じ速度で下降する。
【００６３】
つぎに、図７に示すように、大洗浄モードにおける排水終了時の排水弁装置２８においては、図６に示す内側制御筒部材７６の貯水部７６ｂ内の水位ＷＬ１’がフロート部材５２に浮力を与えない水位（すなわち、ＷＬ１’がほぼ零）まで低下して、フロート部５２ｃの底部５２ｄが貯水部７６ｂの底部に到達したとき、弁体８４の下面８４ｃが排水口突起部６４ｂに接触して排水口６４ａを閉止した状態となり、排水が終了する。
また、弁体８４が排水口突起部６４ｂに着座する際に、貯水タンク２２内に貯水された洗浄水が、弁体保持部材８５の外側上面部９８ｂの複数の開口９８ｃから弁体保持部材８５の内部に流入し、この流入した洗浄水の水圧により、弁体８４を上方から排水口突起部６４ｂに押し付けて密着させた状態となる。
さらに、排水が終了したときの貯水タンク２２内と筒体本体９０内の水位は、図６に示す水位ＷＬ１よりも低い死水水位ＤＷＬとなり、大洗浄モードにおける排水が開始されてから終了するまでには、排水弁装置２８の排水弁ユニット５８の弁体８４が排水口６４ａを開閉することにより、貯水タンク２２内から水洗便器１に４．８リットル以下の洗浄水が供給される。
【００６４】
上述した本発明の第１実施形態による排水弁装置２８及びそれを備えた洗浄水タンク装置１８によれば、排水弁ユニット５８の弁体８４が膨潤し、例えば、弁体８４の上面８４ｃの大きさが拡張して弁体８４の外側領域Ｃが垂れ下がろうとするような状態になっても、弁体８４の外側領域Ｃが弁体保持部材８５の下面部１０２により下方から保持されるため、弁体８４を全体的にほぼ水平に保持することができる。したがって、貯水タンク２２内の洗浄水が排水口６４ａから水洗便器１に供給されているときに、弁体８４が膨潤したとしても、弁体８４の外側領域Ｃが弁体保持部材８５の下面部１０２よりも垂れ下がることを防ぐことができ、弁体８４が洗浄水の水圧等の影響を受けて早閉まりすることを防止することができる。これらの結果、予め規定された洗浄水量を水洗便器１へ供給することができ、良好な便器洗浄を実現することができる。
【００６５】
さらに、本実施形態による排水弁装置２８及びそれを備えた洗浄水タンク装置１８によれば、排水弁ユニット５８の弁体８４が膨潤し、例えば、弁体８４の上面８４ｃの大きさが拡張して弁体８４の外側領域Ｃが垂れ下がろうとするような状態になっても、排水弁の弁体保持部材８５の上面部９８、側面部１００及び下面部１０２によって取り囲まれて排水口ユニット６０の排水口形成部材６４の排水口突起部６４ｂよりも外側の領域Ａ内で弁体８４が弁体保持部材８５の下面部１０２よりも上方に保持されるため、弁体８４の垂れ下がりを安定して防止することができる。また、このように弁体８４の垂れ下がりを安定して防止することができる分、膨潤する材料で形成された弁体８４について、厚みを薄くして柔らかくすることも可能となるため、弁体８４が排水口６４ａを閉止した際のシール性能を向上させることができる。これらの結果、予め規定された洗浄水量を水洗便器１へ供給することができ、良好な便器洗浄を実現することができる。
【００６６】
また、本実施形態による排水弁装置２８及びそれを備えた洗浄水タンク装置１８によれば、排水弁ユニット５８の弁体８４が排水口ユニット６０の排水口突起部６４ｂに着座して下方に沈み込んだとしても、弁体８４が排水口突起部６４ｂに着座して排水口６４ａを閉止した際、弁体保持部材８５の下面部１０２が、貯水タンク２２の底面２２ａよりも上方に位置する排水口形成部材６４のベース部７０の上面７０ａよりも所定距離ｈだけ上方に位置しているため、弁体保持部材８５の下面部１０２と排水口形成部材６４のベース部７０の上面７０ａとが接触することを防ぐことができる。
したがって、弁体８４が排水口突起部６４ｂに着座した直後の状態において弁体８４の沈み込みの幅を確保することができ、弁体８４が排水口６４ａを閉止した際のシール性能を向上させることができる。これらの結果、予め規定された洗浄水量を確実に水洗便器１へ供給することができ、良好な便器洗浄を実現することができる。
【００６７】
さらに、本実施形態による排水弁装置２８及びそれを備えた洗浄水タンク装置１８によれば、弁体保持部材８５の上側外縁部１０４及び下側外縁部１０６の双方が滑らかな曲がり面を形成しているため、弁体８４を引き上げる際に貯水タンク２２内の洗浄水が弁体保持部材８５の上側外縁部１０４に作用する洗浄水の抵抗力を低減させることができると共に、洗浄水が弁体保持部材８５の周囲を通過して排水口６４ａへと流れる際に、弁体保持部材８５の下側外縁部１０６に作用する洗浄水の抵抗力を低減させることができる。これらの結果、排水弁ユニット５８の操作性を確保することができるため、予め規定された洗浄水量を確実に水洗便器１へ供給することができ、良好な便器洗浄を実現することができる。
【００６８】
また、本実施形態による排水弁装置２８及びそれを備えた洗浄水タンク装置１８によれば、弁体８４の外側領域Ｃの上面８４ｂを保持する弁体保持部材８５の外側上面部９８ｂがほぼ水平状態の弁体８４の上面８４ｂよりも所定距離ｄだけ上方に位置しているため、製造誤差等により、弁体８４が排水口突起部６４ｂに対して傾いた状態で着座したとしても、弁体８４の外側領域Ｃが弁体保持部材８５の外側上面部９８ｂの内部において、より大きな撓み量で上方に変形することを許容することができ、弁体８４が排水口６４ａを閉止した際のシール性能を確保することができる。これらの結果、予め規定された洗浄水量を確実に水洗便器１へ供給することができ、良好な便器洗浄を実現することができる。
【００６９】
さらに、本実施形態による排水弁装置２８及びそれを備えた洗浄水タンク装置１８によれば、弁体８４が排水口突起部６４ｂに着座した際に、貯水タンク２２内に貯水された洗浄水が、弁体保持部材８５の外側上面部９８ｂの複数の開口９８ｃから弁体保持部材８５の内部に流入し、この流入した洗浄水の水圧により、弁体８４を上方から排水口突起部６４ｂに押し付けて密着させることができるため、弁体８４が排水口６４ａを閉止した際のシール性能を確保することができる。これらの結果、予め規定された洗浄水量を確実に水洗便器１へ供給することができ、良好な便器洗浄を実現することができる。
【００７０】
また、本実施形態による排水弁装置２８及びそれを備えた洗浄水タンク装置１８によれば、弁体８４が排水口６４ｂを開閉する一連の排水動作により、貯水タンク２２内から排水口６４ｂを経て水洗便器１に供給される洗浄水量を４．８リットル以下に抑制することができるため、洗浄水の節水化を実現することができる。
【００７１】
つぎに、図１１及び図１２により、本発明の第２実施形態による排水弁装置及びそれを備えた洗浄水タンク装置について説明する。
ここで、図１１は本発明の第２実施形態による洗浄水タンク装置の排水弁装置の弁体保持部材を示す平面図であり、図１２は本発明の第２実施形態による洗浄水タンク装置の排水弁装置の弁体保持部材を示す正面断面図である。
なお、図１１及び図１２において、上述した本発明の第１実施形態による排水弁装置の部分と同一部分については同一の符号を付し、それらの説明は省略する。
【００７２】
図１１及び図１２に示すように、本発明の第２実施形態による排水弁装置においては、排水弁ユニット２００の弁体２０２の構成と、この弁体２０２を保持する排水弁ユニット２００の弁体保持部材２０４の構成のみが、上述した本発明の第１実施形態による排水弁装置２８の排水弁ユニット５８の弁体８４と弁体保持部材８５の構成と異なっているため、これら異なる構成についてのみ具体的に説明し、その他の構成については説明を省略する。
【００７３】
図１１及び図１２に示すように、排水弁ユニット２００の弁体２０２は、ゴムや軟質合成樹脂等の膨潤する材料で形成されており、この弁体２０２の上面２０２ａには、円周方向に沿って形成されて上方に突出するアンカー部２０２ｂが一体的に設けられている。この弁体２０２のアンカー部２０２ｂが、弁体保持部材２０４の下面２０４ａに円周方向に沿って形成されたアンカー取付部２０４ｂに嵌め込まれることにより、弁体２０２が弁体保持部材２０４に保持されるようになっている。
また、弁体２０２の内周部２０２ｃ及び弁体保持部材２０４の内周部２０４ｃがオーバーフロー管４０の取付用凹部４０ｃに嵌め込まれると、弁体２０２がオーバーフロー管４０の弁体保持部４０ａと弁体保持部材２０４の下面２０４ａとにより上下方向から挟持され、オーバーフロー管４０に対して上下方向に固定されるようになっている。
すなわち、弁体２０２のアンカー部２０２ｂと弁体保持部材２０４のアンカー取付部２０４ｂは、弁体２０２をほぼ水平な状態に保持するための弁体保持手段として機能するようになっている。
【００７４】
上述した本発明の第２実施形態による排水弁装置によれば、排水弁ユニット２００の弁体２０２が膨潤し、例えば、弁体２０２の大きさが拡張するような状態になっても、弁体２０２のアンカー部２０２ｂが弁体保持部材２０４のアンカー取付部２０４ｂにより保持されているため、弁体２０２を全体的にほぼ水平に保持することができる。したがって、貯水タンク２２内の洗浄水が排水口６４ａから水洗便器１に供給されているときに、弁体２０２が膨潤したとしても、弁体２０２が垂れ下がることを防ぐことができ、弁体２０２が洗浄水の水圧等の影響を受けて早閉まりすることを防止することができる。これらの結果、予め規定された洗浄水量を水洗便器１へ供給することができ、良好な便器洗浄を実現することができる。
【００７５】
つぎに、図１３及び図１４により、本発明の第３実施形態による排水弁装置及びそれを備えた洗浄水タンク装置について説明する。
ここで、図１３は本発明の第３実施形態による洗浄水タンク装置の排水弁装置の弁体保持部材を示す平面図であり、図１４は本発明の第３実施形態による洗浄水タンク装置の排水弁装置の弁体保持部材を示す正面断面図である。
なお、図１３及び図１４において、上述した本発明の第１及び第２実施形態による排水弁装置の部分と同一部分については同一の符号を付し、それらの説明は省略する。
【００７６】
図１３及び図１４に示すように、本発明の第３実施形態による排水弁装置においては、排水弁ユニット３００の弁体３０２の構成と、この弁体３０２を保持する排水弁ユニット３００の弁体保持部材３０４の構成のみが、上述した本発明の第１及び第２実施形態による排水弁装置の排水弁ユニットの弁体と弁体保持部材の構成と異なっているため、これら異なる構成についてのみ具体的に説明し、その他の構成については説明を省略する。
【００７７】
図１３及び図１４に示すように、排水弁ユニット３００の弁体３０２がゴムや軟質合成樹脂等の膨潤する材料で形成されており、この弁体３０２の上面３０２ａと排水弁ユニット３００の弁体保持部材３０４の下面３０４ａとの間には、接着剤３０６が挿入されており、この接着剤３０６により、弁体３０２が弁体保持部材３０４に保持されるようになっている。
また、弁体３０２の内周部３０２ｂ及び弁体保持部材３０４の内周部３０４ｂがオーバーフロー管４０の取付用凹部４０ｃに嵌め込まれると、弁体３０２がオーバーフロー管４０の弁体保持部４０ａと弁体保持部材３０４の下面３０４ａとにより上下方向から挟持され、オーバーフロー管４０に対して上下方向に固定されるようになっている。
すなわち、接着剤３０６は、弁体３０２をほぼ水平な状態に保持するための弁体保持手段として機能するようになっている。
【００７８】
上述した本発明の第３実施形態による排水弁装置によれば、排水弁ユニット３００の弁体３０２が膨潤し、例えば、弁体３０２の大きさが拡張するような状態になっても、接着剤３０６により、弁体３０２が弁体保持部材３０４に保持されているため、弁体３０２を全体的にほぼ水平に保持することができる。したがって、貯水タンク２２内の洗浄水が排水口６４ａから水洗便器１に供給されているときに、弁体３０２が膨潤したとしても、弁体３０２が垂れ下がることを防ぐことができ、弁体３０２が洗浄水の水圧等の影響を受けて早閉まりすることを防止することができる。これらの結果、予め規定された洗浄水量を水洗便器１へ供給することができ、良好な便器洗浄を実現することができる。
【００７９】
つぎに、図１５及び図１６により、本発明の第４実施形態による排水弁装置及びそれを備えた洗浄水タンク装置について説明する。
ここで、図１５は本発明の第４実施形態による洗浄水タンク装置の排水弁装置の弁体保持部材を示す平面図であり、図１６は本発明の第４実施形態による洗浄水タンク装置の排水弁装置の弁体保持部材を示す正面断面図である。
なお、図１５及び図１６において、上述した本発明の第１〜第３実施形態による排水弁装置の部分と同一部分については同一の符号を付し、それらの説明は省略する。
【００８０】
図１５及び図１６に示すように、本発明の第４実施形態による排水弁装置においては、排水弁ユニット４００の弁体４０２の構成と、この弁体４０２を保持する排水弁ユニット４００の弁体保持部材４０４の構成のみが、上述した本発明の第１〜第３実施形態による排水弁装置の排水弁ユニットの弁体と弁体保持部材の構成と異なっているため、これら異なる構成についてのみ具体的に説明し、その他の構成については説明を省略する。
【００８１】
図１５及び図１６に示すように、排水弁ユニット４００の弁体４０２がゴムや軟質合成樹脂等の膨潤する材料で形成されており、この弁体４０２の内部には、円板状の剛性部材４０６が設けられている。
また、弁体４０２の上面４０２ａには弁体保持部材４０４が取り付けられ、弁体４０２の内周部４０２ｂ及び弁体保持部材４０４の内周部４０４ａがオーバーフロー管４０の取付用凹部４０ｃに嵌め込まれると、弁体４０２がオーバーフロー管４０の弁体保持部４０ａと弁体保持部材４０４とにより上下方向から挟持され、オーバーフロー管４０に対して上下方向に固定されるようになっている。
すなわち、剛性部材４０６は、弁体４０２をほぼ水平な状態に保持するための弁体保持手段として機能するようになっている。
【００８２】
上述した本発明の第４実施形態による排水弁装置によれば、排水弁ユニット４００の弁体４０２が膨潤し、例えば、弁体４０２の大きさが拡張するような状態になっても、弁体４０２の内部に設けられた剛性部材４０６により、弁体４０２を全体的にほぼ水平に保持することができる。したがって、貯水タンク２２内の洗浄水が排水口６４ａから水洗便器１に供給されているときに、弁体４０２が膨潤したとしても、弁体４０２が垂れ下がることを防ぐことができ、弁体４０２が洗浄水の水圧等の影響を受けて早閉まりすることを防止することができる。これらの結果、予め規定された洗浄水量を水洗便器１へ供給することができ、良好な便器洗浄を実現することができる。
【００８３】
つぎに、図１７及び図１８により、本発明の第５実施形態による排水弁装置及びそれを備えた洗浄水タンク装置について説明する。
ここで、図１７は本発明の第５実施形態による洗浄水タンク装置の排水弁装置の弁体保持部材を示す平面図であり、図１８は本発明の第５実施形態による洗浄水タンク装置の排水弁装置の弁体保持部材を示す正面断面図である。
なお、図１７及び図１８において、上述した本発明の第１〜第４実施形態による排水弁装置の部分と同一部分については同一の符号を付し、それらの説明は省略する。
【００８４】
図１７及び図１８に示すように、本発明の第５実施形態による排水弁装置においては、排水弁ユニット５００の弁体４０２の構成が上述した本発明の第１〜第４実施形態による排水弁装置の排水弁ユニットの弁体の構成と異なっており、上述した本発明の第１〜第４実施形態による排水弁装置の排水弁ユニットの弁体保持部材に相当する構成を備えていない点についても、上述した本発明の第１〜第４実施形態による排水弁装置の構成と異なっている。したがって、以下、これら異なる構成についてのみ具体的に説明し、その他の構成については説明を省略する。
【００８５】
図１７及び図１８に示すように、本実施形態による排水弁装置の排水弁ユニット５００は、ゴムや軟質合成樹脂等の膨潤する材料で形成された弁体５０２と、この弁体５０２により下方から保持される第４実施形態と同様な剛性部材４０６を備えている。
また、弁体５０２の外周縁部５０２ａは、剛性部材４０６の外周部４０６ａを取り囲むように、弁体５０２の下面部５０２ｂの外側端部５０２ｃから上方に所定長さ突出した後、半径方向内側に向って所定長さ突出している。
さらに、弁体５０２の内周部５０２ｄ及び剛性部材４０６の内周部４０６ｂがオーバーフロー管４０の取付用凹部４０ｃに嵌め込まれると、弁体５０２及び剛性部材４０６がオーバーフロー管４０の弁体保持部４０ａにより下方から支持されると共に、オーバーフロー管４０に対して上下方向に固定されるようになっている。
すなわち、弁体５０２の外周縁部５０２ａと剛性部材４０６は、弁体５０２をほぼ水平な状態に保持するための弁体保持手段として機能するようになっている。
【００８６】
上述した本発明の第５実施形態による排水弁装置によれば、排水弁ユニット５００の弁体５０２が膨潤し、例えば、弁体５０２の大きさが拡張するような状態になっても、弁体５０２の外周縁部５０２ａにより保持された剛性部材４０６により、弁体４０２を全体的にほぼ水平に保持することができる。したがって、貯水タンク２２内の洗浄水が排水口６４ａから水洗便器１に供給されているときに、弁体５０２が膨潤したとしても、弁体５０２が垂れ下がることを防ぐことができ、弁体５０２が洗浄水の水圧等の影響を受けて早閉まりすることを防止することができる。これらの結果、予め規定された洗浄水量を水洗便器１へ供給することができ、良好な便器洗浄を実現することができる。
【符号の説明】
【００８７】
１      水洗便器（水洗大便器）
２      便器本体
４      ボウル部
６      導水路
８      トラップ管路
８ａ    入口
８ｂ    上昇路
８ｃ    下降路
１０      リム
１２      第１吐水口
１４      溜水部
１６      第２吐水口
１８      洗浄水タンク装置
２０      外装タンク
２２      貯水タンク
２２ａ    排水口
２２ｂ    底面
２４      蓋体
２６      給水装置
２８      排水弁装置
３０      給水管
３２      給水バルブ
３４      フロート
３６      吐水口
３８      リフィール管
４０      オーバーフロー管
４０ａ    弁体保持部
４０ｂ    円筒部
４０ｃ    取付用凹部
４２      操作レバー
４４      回転軸
４４ａ    回転軸の中心軸線
４６      玉鎖引き上げ部材
４６ａ    第１玉鎖取付部
４６ｂ    第２玉鎖取付部
４６ｃ    第３玉鎖取付部
４８      第１玉鎖
５０      第２玉鎖
５２      フロート部材
５２ａ    第１玉鎖取付部
５２ｂ    第２玉鎖取付部
５２ｃ    フロート部
５２ｄ    底部
５２ｅ    オーバーフロー管取付部
５２ｆ    フロート部の中央穴
５４      第３玉鎖
５６      切替弁
５６ａ    第３玉鎖取付部
５６ｂ    錘
５８      排水弁ユニット（排水弁）
５８ａ    排水弁ユニットの中心軸線
６０      排水口ユニット（排水部）
６２      外側制御筒部材
６４      排水口形成部材（排水部）
６４ａ    排水口
６４ｂ    排水口突起部
６６      シール部材
６８      締結部材
７０      ベース部
７０ａ    ベース部の上面
７２      保持突起
７４      排水口形成部材の上端開口部
７６      内側制御筒部材
７６ａ    開口
７６ｂ    貯水部
７６ｃ    ガイド部
７６ｄ    係合溝
７６ｅ    壁部
７８      保持突起
８０      排水口形成部材のリブ
８２      連通口
８４      弁体
８４ａ    取付穴
８４ｂ    弁体の上面
８４ｃ    弁体の下面
８４ｄ    弁体の外周部
８５      弁体保持部材（弁体保持手段）
８５ａ    挿入穴
８５ｂ    取付部
８６      オーバーフロー管取付部材
８６ａ    流入口
８８      リフィール管取付部材
８８ａ    ノズル部
９０      筒体本体
９０ａ    係合溝
９０ｂ    近位側側壁
９０ｂ’  遠位側側壁
９０ｃ    洗浄モード切替用開口部
９０ｄ    流量調節用の近位側開口部
９０ｄ’  流量調節用の遠位側開口部
９２      流量調節部材
９４      近位側流量調節部材
９６      遠位側流量調節部材
９８      弁体保持部材の上面部
９８ａ    弁体保持部材の中心側上面部
９８ｂ    弁体保持部材の外側上面部
９８ｃ    弁体保持部材の外側上面部の開口
１００      弁体保持部材の側面部
１０２      弁体保持部材の下面部
１０２ａ    弁体保持部材の下面部の内側端部
１０２ｂ    弁体保持部材の下面部の開口
１０４      弁体保持部材の上側外縁部
１０６      弁体保持部材の下側外縁部
２００      排水弁ユニット
２０２      弁体
２０２ａ    弁体の上面
２０２ｂ    弁体のアンカー部（弁体保持手段）
２０２ｃ    弁体の内周部
２０４      弁体保持部材
２０４ａ    弁体保持部材の下面
２０４ｂ    弁体保持部材のアンカー取付部（弁体保持手段）
２０４ｃ    弁体保持部材の内周部
３００      排水弁ユニット
３０２      弁体
３０２ａ    弁体の上面
３０２ｂ    弁体の内周部
３０４      弁体保持部材
３０４ａ    弁体保持部材の下面
３０４ｂ    弁体保持部材の内周部
３０６      接着剤（弁体保持手段）
４００      排水弁ユニット
４０２      弁体
４０２ａ    弁体の上面
４０２ｂ    弁体の内周部
４０４      弁体保持部材
４０４ａ    弁体保持部材の内周部
４０６      剛性部材（弁体保持手段）
４０６ａ    剛性部材の外周部
４０６ｂ    剛性部材の内周部
５００      排水弁ユニット
５０２      弁体
５０２ａ    弁体の外周縁部（弁体保持手段）
５０２ｂ    弁体の下面部
５０２ｃ    弁体の下面部の外側端部
５０２ｄ    弁体の内周部
【図１】
0005455163.tif 000002
【図２】
0005455163.tif 000003
【図３】
0005455163.tif 000004
【図４】
0005455163.tif 000005
【図５】
0005455163.tif 000006
【図６】
0005455163.tif 000007
【図７】
0005455163.tif 000008
【図８】
0005455163.tif 000009
【図９】
0005455163.tif 000010
【図１０】
0005455163.tif 000011
【図１１】
0005455163.tif 000012
【図１２】
0005455163.tif 000013
【図１３】
0005455163.tif 000014
【図１４】
0005455163.tif 000015
【図１５】
0005455163.tif 000016
【図１６】
0005455163.tif 000017
【図１７】
0005455163.tif 000018
【図１８】
0005455163.tif 000019